(57)【要約】【課題】  従来の缶オープナーはてこの原理の力で蓋を開口するが、缶を押さえる位置を缶周縁又は缶周縁付近を支点としてタブを引上げるので蓋の開口が急な動きの一気の開口となることで、内容物がこぼれ周辺を汚す、という課題がある。  また、蓋の開口が急な動きとなることで缶を抑え持つ手が缶蓋での怪我に繋がる、という課題がある。  【解決手段】本発明は、イージーオープン蓋８に取り付けられたタブ１５を引っ掛ける引っ掛け部４を有する第１前面５と、第１前面５とつながる底面７と、引っ掛け部４より上方に、イージーオープン蓋８を開口する際に指で押圧操作する押圧部３を備え、底面７は、第１前面５をあらかじめ略直角に起こしたタブ１５に向けて配置したときにイージーオープン蓋８と対向し、タブ１５から離れる向きである後方に進むに従ってイージーオープン蓋８から離れる向きに湾曲していることを特徴とする缶オープナー。  【選択図】図1
2020172271.tif 000002
【特許請求の範囲】
【請求項１】
イージーオープン缶のイージーオープン蓋を開口する缶オープナーであっ  て、
前記イージーオープン蓋に取り付けられたタブを引っ掛ける引っ掛け部を  有する第１前面と、
前記第１前面とつながる底面と、を備え、
前記底面は、前記第１前面をあらかじめ略直角に起こした前記タブに向け  て配置したときに前記イージーオープン蓋と対向し、前記タブから離れる向  きである後方に進むに従って前記イージーオープン蓋から離れる向きに湾
曲していることを特徴とする缶オープナー。
【請求項２】
前記底面は、前記第１前面から所定の寸法だけ後方に進んだ位置より後方
で前記イージーオープン蓋から離れる向きに湾曲していることを特徴とする
請求項１に記載の缶オープナー。
【請求項３】
前記底面の断面における道程長さは前記イージーオープン蓋の直径よりも
大きいことを特徴とする請求項１または、請求項２に記載の缶オープナー。
【請求項４】
前記引っ掛け部より上方に、前記イージーオープン蓋を開口する際に指で
押圧操作する押圧部を備え、
前記押圧部は前記第１前面より前方に突出した形状に形成されたことを特
徴とする請求項１から請求項３のいずれか１項に記載の缶オープナー。
【請求項５】
前記押圧部は、
前記第１前面の上端に繋がり該第１前面に略直角で前方に延在する下面と  、
前記下面の前方の端に繋がり前記下面に略直角で上方に延在する第２前面
と、
前記第２前面の上端に繋がり前記第２前面に略直角で後方に延在する第２  上面と、
前記第２上面の後方の端に繋がり前記第２上面に略直角で下方に延在する
背面と、
を有したことを特徴とする請求項４に記載の缶オープナー。
【請求項６】
開缶前にあらかじめ前記イージーオープン蓋に対して略直角にタブを起こ  すタブ起こし手段を設け、
前記タブ起こし手段は、前記押圧部の前記第２前面の近傍の前記第２上面  に設けた差し込み溝であることを特徴とすることを請求項４又は、請求項５  に記載の缶オープナー。
【請求項７】
前記引っ掛け部は、前記第１前面に対して略直角に前方に向かって前記第  １前面に設けられた支柱と、該支柱に略直角で該支柱の先端に設けられた略  四角形状の平板と、からなることを特徴とする請求項１から請求項６のいず  れか１項に記載の缶オープナー。
【請求項８】
イージーオープン缶の、タブを備えたイージーオープン蓋を開口する開缶  方法であって、
あらかじめ前記タブを前記イージーオープン蓋と略直交する向きに起こし  、
請求項１及び請求項２のいずれかに記載する缶オープナーを、前記イージ  ーオープン蓋の上に、第１前面が前記タブと向き合うように載置し、
引っ掛け部を前記タブに引っ掛けた状態で、
底面と前記イージーオープン蓋とを接触させながら前記缶オープナーを後方
に倒すことを特徴とする開缶方法。
【発明の詳細な説明】
【技術分野】
【０００１】
本発明は、フルオープンエンドのイージーオープン缶のイージーオープン  蓋を開口する缶オープナーに関する。
【背景技術】
【０００２】
イージーオープン缶のイージーオープン蓋には蓋の面の全周にスコア（切  り込み溝）が入っており、蓋にリベットで固着されたタブを引上げてスコア  （切り込み溝）に沿って蓋全体が開口される。
従来、イージーオープン缶を開ける缶オープナーとして、缶周縁を支点と  して棒状Ｌ字型主杵にプルトップタブを引っ掛け、主杵に延設された把手を  引上げて開口（例えば特許文献１）するものがある。
また、円形状をした外周面にタブ引上げ舌片と転動部を備え缶上面を転動  させ開口（例えば特許文献２）するものがある。
さらに、管、または、柱状の本体の中央に備えた係合突起をタブの穴に係  合させて本体の一端に備えたハンドルを回転させて開口（例えば特許文献３  ）するものがある。
【先行技術文献】
【特許文献】
【０００３】
【特許文献１】特開平１０−１７５６９９号  公報
【特許文献２】特開２００４−５９０９９号  公報
【特許文献３】特開平８−２９５３３９号  公報
【発明の概要】
【発明が解決しようとする課題】
【０００４】
特許文献１の場合は、歯状凹部で缶周縁を支点として、プルトップ快揚杵    
でプルトップタブを主杵に繋がる把持を持ち上げて一気に開口すると、ある
が、オープナーの開口力以上に缶を押さえ持つ手の力が必要となるので利用
が簡単ではない。
また、缶を押さえ持つ手の方向に開口するため缶の持ち方によって、缶を    
押さえ持つ手が開いた蓋による怪我に繋がるという課題がある。
さらに、缶を押さえ持つ手が開口力の変化に対応できず、内容物がこぼれ
たりする課題がある。
【０００５】
また、特許文献２の場合は、開口操作として、タブのリングに差し込み舌    
片を差し込み把持部で転動部を缶蓋上を回転させる、とあるが、回転動作を
するとき転動部が円形状で缶蓋との接触面が小さいので転動部と缶蓋との接
触面が滑り、オープナーが予期しない動きをするという安全性に課題があ
る。
【０００６】
また、特許文献３の場合は、本体の係合突起にリングの穴に係合させてハ  ンドルを廻してプルトップの蓋を巻き取る、とあるが、イージーオープン缶  の蓋を巻き取るには大きい力が必要で利用者は限られる。
さらに、開口後巻き取られた蓋が跳ね返って係合突起から外れ飛び内容物  で周辺を汚すという課題がある。
【０００７】
また、特許文献３に限らず従来のイージーオープン缶の缶オープナーは、  開口後の蓋を保持できず、オープナーから蓋が外れ落ち、蓋に付いた内容物  で周辺を汚すなどの課題がある。
【０００８】
本発明は、このような従来の構成が有していた問題点を解決しようとする  
ものであり、本缶オープナーは蓋の開口が安全で容易にでき、利便性の向上  を図ることを目的とするものである。
【課題を解決するための手段】
【０００９】
本発明は、上記目的を達成するために、イージーオープン缶のイージーオ  ープン蓋を開口する缶オープナーであって、イージーオープン蓋に取り付け  られたタブを引っ掛ける引っ掛け部を有する第１前面と、第１前面とつなが  る底面と、を備え、底面は、第１前面をあらかじめ略直角に起こしたタブに  向けて配置したときにイージーオープン蓋と対向し、タブから離れる向きで  ある後方に進むに従ってイージーオープン蓋から離れる向きに湾曲した形状  を有する構成としたものである。
【００１０】
また、底面は、第１前面から所定の寸法だけ後方に進んだ位置より後方で
イージーオープン蓋から離れる向きに湾曲した形状を有する構成としたもの
である。
【００１１】
さらに、底面の断面における道程長さはイージーオープン蓋の直径よりも
大きい形状を有する構成としたものである。
【００１２】
また、引っ掛け部より上方に、イージーオープン蓋を開口する際に指で押
圧操作する押圧部を備え、押圧部は第１前面より前方に突出した形状を有す
る構成としたものである。
【００１３】
さらに、押圧部は、第１前面の上端に繋がり第１前面に略直角で前方に延
在する下面と、下面の前方の端に繋がり下面に略直角で上方に延在する第２
前面と、第２前面の上端に繋がり第２前面に略直角で後方に延在する第２上
面と、第２上面の後方の端に繋がり第２上面に略直角で下方に延在する背面
と、を有する構成としたものである。
【００１４】
また、開缶前にあらかじめイージーオープン蓋に対して略直角にタブを起  こすタブ起こし手段を設け、タブ起こし手段は、押圧部の第２前面の近傍の  第２上面に設けた差し込み溝である構成としたものである
【００１５】
さらに、引っ掛け部は、第１前面に対して略直角に前方に向かって第１前  面に設けられた支柱と、支柱に略直角で支柱の先端に設けられた略四角形状  の平板と、からなる構成としたものである。
【００１６】
また、イージーオープン缶の、タブを備えたイージーオープン蓋を開口す  る開缶方法であって、あらかじめタブをイージーオープン蓋と略直交する向  きに起こし、請求項１及び請求項２のいずれかに記載する缶オープナーを、  イージーオープン蓋の上に、第１前面がタブと向き合うように載置し、引っ  掛け部をタブに引っ掛けた状態で、曲面とイージーオープン蓋とを接触させ  ながら缶オープナーを後方に倒すこととする開缶方法である。
【発明の効果】
【００１７】
上述の様に、本発明の缶オープナーによれば、第１前面の引っ掛け部にタ
ブを引っ掛け、押圧部で本体をタブと離れる方向に倒すことによって、底面
でイージーオープン蓋を押さえることで、イージーオープン缶を固定してタ
ブを引上げるので安定した開口ができるためイージーオープン缶の内容物が
こぼれることがなく周辺を汚さないという効果がある。
【００１８】
また、イージーオープン缶を押さえ持つ手から反対方向にイージーオープ
ン蓋を開口することができ、イージーオープン缶を押さえ持つ手とイージー
オープン蓋が接触しないので安全性と利便性を向上させる効果がある。
【００１９】
さらに、押圧部は第２前面を第１前面の前方に、突出した形状で本体の上
部に設置しているので、イージーオープン蓋を開口する場合に押圧部を持ち
易く本体をイージーオープン蓋の上で後方に倒し、回転させる操作が容易に
できるという効果がある。
【００２０】
また、底面の断面における道程長さはイージーオープン蓋の直径よりも大
きい形状としたことで、初期開口から切り離しまでの開口操作が容易で確実
にできるという効果がある。
【００２１】
また、タブを起こすための手段として、
押圧部の第２前面近傍の第２上面に差し込み溝を設けているので、タブを差
し込み溝に挿入し、同缶オープナーをタブを起こす方向の前方に倒すことに
よって、容易にかつ確実にタブをイージーオープン蓋に対して９０度に起こ
すことがきるという効果がある。
【００２２】
さらに、タブを確実に９０度に起こすことで、イージーオープン蓋とタブ
を固着しているリベット部分からイージーオープン蓋の切り口が下方直角に
折り曲げられることによってスコアに切り込みが入る。
また、第１前面と第１前面の下端から略直角に後方に伸びた底面とで、イ
ージーオープン蓋の面とタブの位置を９０度に保った状態で開口すること
で、下方直角に折り曲げられたイージーオープン蓋の切り口に垂直方向に引
上げられる力が加えられることで、スコア（切り裂き溝）からのイージーオ
ープン蓋の切り裂きが容易になる。
【００２３】
また、タブを起こすタブ起こし手段と、タブを引っ掛ける引っ掛け部は、
同缶オープナーの前面側に配置しているので、タブ起こし手段で起こされた
タブをその動作の続きで、タブを引っ掛け部に引っ掛けて、イージーオープ
ン蓋を開けることができるのでタブを起こすことから開缶までの、一連の連
続した動作が簡単でスムーズである。
さらに、同缶オープナーは自立できる形状の底面を備えたことでイージー
オープン蓋の上に載置しやすく、また、開口動作で湾曲した底面の部分でイ
ージーオープン蓋を下方に押さえながらタブを引上げてイージーオープン蓋
を開口する。この時開缶完了まで、イージーオープン蓋の開口位置と同時に開口動作時の支点
の位置が後方に移動することで安定した開口操作できるという効果がある。
【００２４】
また、引っ掛け部の支柱の先端に略四角形状平板が設けられ、タブが引っ
掛けやすく、さらに、イージーオープン蓋を開ける時にはタブの縁が平板
に引っ掛かるので、外れることがない。
さらに、イージーオープン蓋がイージーオープン缶から切り離された時
も、親指で引っ掛け部の平板を押さえながら開口できるのでタブが引っ掛け
部から外れ落ちることがなく、イージーオープン蓋に付いた内容物で周辺を汚すことがないと
いう効果がある。
【図面の簡単な説明】
【００２５】
【図１】本発明の一実施形態における缶オープナーの斜視図である。
【図２】（ａ）同缶オープナーの右側面図である。    （ｂ）同缶オープナーの正面図である。    （ｃ）同缶オープナーの背面図である。    （ｄ）同缶オープナーの下面図である。    (ｅ) 同缶オープナーの平面図である。
【図３】（ａ）同缶オープナーをイージーオープン蓋の上に載置する前の      タブを起こしたイージーオープン缶の側面図である。    （ｂ）同缶オープナーの引っ掛け部にタブを引っ掛け、イージーオープン      蓋の上に載置した側面図である。
【図４】（ａ）同缶オープナーでイージーオープン蓋を開口する場合の初      期開口の状態を示す状態図である。    （ｂ）同缶オープナーでイージーオープン蓋を開口する場合の開口途中の      状態を示す状態図である。    （ｃ）同缶オープナーでイージーオープン蓋を開口する場合の缶から切り      裂かれ切り離される直前の状態を示す状態図である。
【図５】（ａ）同缶オープナーでイージーオープン蓋がイージーオープン      缶から切り離された状態を示す状態図である。    （ｂ）同缶オープナーの断面を示す状態図である。
【図６】同缶オープナーでイージーオープン蓋の開口完了後の状態を示す      状態図である。
【図７】（ａ）同缶オープナーの差し込み溝にタブを挿入した状態を示す      状態図である。     （ｂ）同缶オープナーの差し込み溝でタブが９０度に起こされた状態を              示す状態図である。
【発明を実施するための形態】
【００２６】
以下、本発明の一実施形態について、図面を用いて説明する。
尚、この実施の形態によって本発明が限定されるものではない。
【００２７】
まず本発明の一実施形態における缶オープナーの構成について、図１〜図  
６を用いて説明する。
ここで、図１は本発明の一実施形態における本缶オープナーの斜視図であ  る。
図２（ａ）、（ｂ）、（ｃ）、（ｄ）、（ｅ）は同缶オープナーの右の側面図、正  面図、背面図、下面図、平面図である。
図３（ａ）は開口のためタブを９０度に起こしたイージーオープン缶の側  面図である。
同図（ｂ）は同缶オープナーの引っ掛け部にタブを引っ掛け、イージーオ  ープン蓋の上に載置した側面図である。
図４（ａ）、（ｂ）、（ｃ）はイージーオープン蓋の開口過程の状態を示す状  態図である。
図５（ａ）はイージーオープン蓋がイージーオープン缶から切り離された  状態図であり、同図（ｂ）は道程長さを示す断面図である。
図６はイージーオープン蓋の開口完了時の状態図である。
【００２８】
ここで本缶オープナー1はイージーオープン缶（以下、缶と記載）のイー
ジーオープン蓋（以下、蓋と記載）を開口するものである。
【００２９】
図１に示すように、缶オープナー１は、本体２と押圧部３とから構成され
ている。
【００３０】
また、図２（ａ）及び（ｂ）に示すように、本体２は、引っ掛け部４備え
た第１前面５と第１上面６と底面７を備えこの第１前面５は缶オープナー１
を蓋８上に載置した時に９０度に起こされたタブに向き合う面である。
また、底面７は、第１前面５の下端に、略直角に繋がり第１前面５に対し
て後方に形成される平坦部７ａと、平坦部７ａの後方に繋がり蓋８から離れ
る向きに湾曲した湾曲部７ｂとからなる。
【００３１】
また、押圧部３は略直方体形状でマグネット１０と、タブを起こす差
し込み溝１１を有し、本体２の上部に備えられ、使用者により缶オープナー
１を回転操作されるものであり、図２に示すように、下面１２と第２前面１
３と第２上面１４と背面９で形成されている。
具体的には、下面１２は第１前面５の上端に繋がり、第１前面５に略直角
で前方に形成されている。
また、第２前面１３は下面１２の前端に繋がり下面１２に略直角で上方に
形成されており、第２上面１４は第２前面１３の上端に繋がり第２前面１３
に略直角で後方に形成されている。
また、背面９は第２上面１４の後方端に繋がり第２上面１４に略直角で
下方に形成され、第１上面６に繋がり、第１上面６は後方に伸び湾曲部７ｂ
の上端と繋がり形成されている。
尚、背面９は曲面部７ｂの上端よりも前方に設けた形状で形成されてい
る。
【００３２】
さらに、引っ掛け部４は起こされたタブ１５を引っ掛けるものである。
具体的には図２に示すように、引っ掛け部４は、第１前面５に対して略直角
に前方に向かって第１前面５に設けられた支柱４ａと、支柱４ａに略直角に
支柱４ａの先端に設られた略四角形状の平板４ｂとから構成されている。
尚、本実施形態では、引っ掛け部４の平板４ｂを略四角形状としたが、こ
れに限らず円形状または、半円形状、楕円形状でもよい。
また、引っ掛け部４はＬ字形の一体形成されたフック形状でもよい。
【００３３】
また、図２（ａ）に示すように、マグネット１０は缶オープナー１を保管
するためものである。具体的には、缶オープナー１を使用しない時の冷蔵庫
等スチール部に取り付ける保管用で図２（ａ）の押圧部３の側面１６に
設けた構成としている。
また、左側面図は、右側面図の図２（ａ）と対称であるので図示して
いないが、左側面図（省略する）の側面１６にもマグネット１０を設けた構成としている。
また、本実施形態では、マグネット１０を押圧部３の左右の側面１６に設
ける構成としたが、これに限らず、いずれか一方に設けてもよい。
また、本体２など他の位置に設けてもよい。
【００３４】
蓋８を開ける動作について、図３〜図６を用いて説明する。
ここで図３（ａ）に蓋８にリベット１７で固着されたタブ１５を、指などで
あらかじめ９０度に起されたイージーオープン缶１８を示す。
次に図３（ｂ）に示すように、タブ１５を引っ掛け部４に引っ掛けて第１
前面５と平坦部７ａで缶オープナー１を蓋８上に載置する。
そして、図４（ａ）に示すように、缶オープナー１の押圧部３を操作する
場合の手指の持つ位置を示す。例えば親指１９と人差し指２０と中指２１で
押圧部３を持ち、同図中の矢印に示すように、タブ１５から離れる矢印の方
向の後方へ本体２を倒し、回転させることで、Ｐａを支点としてタブ１５が
引上げられ蓋８は初期開口される。
【００３５】
さらに、本体２を後方に倒すと、図４（ｂ）に示すように移動したＰｂの
支点に向かって蓋８が切り裂かれる。
さらに、本体２を後方に倒すと、同図（ｃ）に示すように、蓋８を開口す
る支点位置が後方の支点Ｐｃに移動し、この支点Ｐｃより前方の蓋８が切り
裂かれることになる。
尚、支点Ｐｃの位置は蓋８が缶１８から切り離される直前の位置を示す。
さらに、本体２を後方に倒すと、図５（ａ）に示すように、蓋８が缶１８
から完全に切り離される。
【００３６】
また、図５（ｂ）に示すように、缶オープナー１の回転方向に平行な面で
切断した缶オープナー１の断面図である。同図中の矢印部ａは底面７の道程
長さを示す。また、矢印部ｂはふたの直径の長さを示す。同図に示すよう
に、道程長さ（ａ）は蓋８の直径（ｂ）よりも大きい形状としているので、
一回の開口動作で、開口完了まで確実に終了できる。そのため、開口動作
が、簡便に、また、安全に安定してできるという効果がある。
【００３７】
また、図６に示すように、缶１８を押さえ持つ手から離れる方向に缶オー
プナー１を倒して開口することで缶１８を押さえ持つ手と蓋８が接触しない
ので安全にかつ、容易に開口できるものである。
尚、図６では右手での開口動作を示しているが缶オープナー１は左右対称  であるにで、左手での開口動作も同様である。
【００３８】
さらに、開口後の操作について説明する。
図５（ａ）に示すように、第２前面１３は第１前面５の前方に設けられて
いるので、開口するときに親指１９で引っ掛け部４を押さえながら蓋８を切
離すことができる。
また、図６に完全に蓋８を切り離した状態を示す。このようにタブ１５を
介して蓋８が外れないよう保持できることを示すものである。
【００３９】
また、タブ１５を起こすタブ起こし手段について説明する。
上記説明では、指でタブ１５を９０度に起こすとしていた。しかし、指で
タブ１５を起こすことが困難な場合もある。
本発明では、図２に示すように、タブ起こし手段として、押圧部３の
第２前面１３の近傍の第２上面に差し込み溝１１を設けている。
【００４０】
そこで、図３（ａ）のタブ１５が蓋８に対して９０度に起こされた状態に
するために、先ず、図７（ａ）のように、タブ１５を差し込み溝１１に挿入
する。そして、缶オープナー１をタブ１５を固着している側の前方に倒し
て、同図（ｂ）に示すように、タブ１５を９０度に起こすことによって、初
期の蓋８の切り込みを簡単に確実に行うことができる。
【００４１】
また、イージーオープン缶の開け方で、手指でタブを起こすイラストが蓋
上に表記されているが爪と指先で起こすことになると思われる。
上記説明の缶オープナー１は爪を使うことが困難な利用者の利便性の向上
となる。
【００４２】
尚、本実施形態では、差し込み溝１１を押圧部３に設けた構成としたがこ
れに限らず、本体２に設けてもよい。
また、差し込み溝１１の形状はタブを確実挿入するために高さは２ｍｍで幅
２４ｍｍで奥行は２０ｍｍ程度がよい。
また、差し込み溝はタブを入り易くするために挿入口はテーパ形状であ
る。
また、蓋８とオープナー１の接触面から差し込み溝までの肉厚は１．０ｍｍ
から２．０ｍｍ程度がよい。
また、肉厚は薄いほうがタブ１５に差し込み易いが、耐久性を考慮した厚
みである。
【符号の説明】
【００４３】
１      缶オープナー
２      本体
３      押圧部
４      引っ掛け部
４ａ    支柱
４ｂ    平板
５      第１前面
６      第１上面
７      底面
７ａ    平坦部
７ｂ    湾曲部
８      イージーオープン蓋
９      背面
１０    マグネット
１１    差し込み溝
１２    下面
１３    第２前面
１４    第２上面
１５    タブ（リング）
１６    側面
１７    リベット
１８    イージーオープン缶
１９    親指
２０    人差し指
２１    中指
Ｐａ    支点
Ｐｂ    支点
Ｐｃ    支点
【図１】
2020172271.tif 000003
【図２】
2020172271.tif 000004
【図３】
2020172271.tif 000005
【図４】
2020172271.tif 000006
【図５】
2020172271.tif 000007
【図６】
2020172271.tif 000008
【図７】
2020172271.tif 000009
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
イージーオープン缶のイージーオープン蓋を開口する缶オープナーであって、
前記イージーオープン蓋に取り付けられたタブを引っ掛ける引っ掛け部を有する第１前面と、
前記第１前面とつながる底面と、
前記引っ掛け部より上方に、前記イージーオープン蓋を開口する際に指で押圧操作する押圧部を備え、
前記押圧部は、
前記第１前面の上端に繋がり該第１前面に略直角で前方に延在する下面と、
前記下面の前方の端に繋がり前記下面に略直角で上方に延在する第２前面と、
前記第２前面の上端に繋がり前記第２前面に略直角で後方に延在する第２上面と、
前記第２上面の後方の端に繋がり前記第２上面に略直角で下方に延在する背面と、を有し、
前記底面は、前記第１前面をあらかじめ略直角に起こした前記タブに向けて
配置したときに前記イージーオープン蓋と対向し、前記タブから離れる向きである後方に進むに従って前記イージーオープン蓋から離れる向きに湾曲していることを特徴とする缶オープナー。
【請求項２】
開缶前にあらかじめ前記イージーオープン蓋に対して略直角にタブを起こすタブ起こし手段を設け、
前記タブ起こし手段は、前記押圧部の前記第２前面の近傍の前記第２上面に設けた差し  込み溝であることを特徴とすることを請求項１に記載の缶オープナー。
【請求項３】
前記引っ掛け部は、前記第１前面に対して略直角に前方に向かって前記第１
前面に設けられた支柱と、該支柱に略直角で該支柱の先端に設けられた略四角形状の平板と、からなることを特徴とする請求項１から請求項２のいずれか１項に記載の缶オープナー。
【請求項４】
イージーオープン缶の、タブを備えたイージーオープン蓋を開口する開缶方
法であって、
あらかじめ前記タブを前記イージーオープン蓋と略直交する向きに起こし、
請求項１に記載する缶オープナーを、前記イージーオープン蓋の上に、第１前面が前記タブと向き合うように載置し、引っ掛け部を前記タブに引っ掛けた状態で、底面と前記イージーオープン蓋とを接触させながら前記缶オープナーを後方に倒すことを特徴とする開缶方法。
【手続補正２】
【補正対象書類名】明細書
【補正対象項目名】００１６
【補正方法】変更
【補正の内容】
【００１６】
また、イージーオープン缶の、タブを備えたイージーオープン蓋を開口する開缶方法であって、あらかじめタブをイージーオープン蓋と略直交する向きに起こし、請求項１に記載する缶オープナーを、イージーオープン蓋の上に、第１前面がタブと向き合うように載置し、引っ掛け部をタブに引っ掛けた状態で、曲面とイージーオープン蓋とを接触させながら缶オープナーを後方に倒すこととする開缶方法である。